(57)【要約】      （修正有）【課題】試験片の中央部でうまく破断することができる把持具を提供する。【解決手段】把持具であって、左側把持プレート５０Ｌと右側把持プレート５０Ｒと本体ベース１０とを備え、本体ベース１０の上面には、左右方向に伸びた雌ガイド部１１が形成され、左側把持プレート５０Ｌの下面には、雌ガイド部１１と当接する雄ガイド部２１Ｌが形成されるとともに、左側把持プレート５０Ｌの右側面には、試験片の一端部の把持部の左側面と接触する把持面３１Ｌが形成され、右側把持プレート５０Ｒの下面には、ガイド部１１と当接する雄ガイド部が形成されるとともに、右側把持プレート５０Ｒの左側面には、試験片の一端部の把持部の右側面と接触する把持面３１Ｒが形成されており、把持面３１Ｌ、３１Ｒは、上下方向と前後方向とにおいて、試験片の一端部の把持部の周縁部とは接触せず、試験片の一端部の把持部の中心部と接触することを特徴とする。【選択図】図３
0003162812.tif 000002
【実用新案登録請求の範囲】
【請求項１】
平板形状の試験片の一端部の把持部を把持する把持具であって、
左側把持プレートと右側把持プレートと本体ベースとを備え、
前記本体ベースの上面には、左右方向に伸びたガイド部が形成され、
前記左側把持プレートの下面には、前記本体ベースのガイド部と当接するガイド部が形成されるとともに、前記左側把持プレートの右側面には、前記試験片の一端部の把持部の左側面と接触する把持面が形成されており、
前記右側把持プレートの下面には、前記本体ベースのガイド部と当接するガイド部が形成されるとともに、前記右側把持プレートの左側面には、前記試験片の一端部の把持部の右側面と接触する把持面が形成されており、
前記把持面は、前記上下方向と、前記上下方向及び左右方向とに垂直な前後方向とにおいて、前記試験片の一端部の把持部の周縁部とは接触せずに、前記試験片の一端部の把持部の中心部とは接触することを特徴とする把持具。
【請求項２】
前記試験片の一端部の把持部の周縁部は、テーパー構造の把持面により逃がされることにより、前記把持面は、前記試験片の一端部の把持部の周縁部とは接触せずに、前記試験片の一端部の把持部の中心部とは接触することを特徴とする請求項１に記載の把持具。
【請求項３】
前記把持プレートは、押さえプレートとチャック歯とに分離可能となっており、
前記チャック歯の一の側面には、前記把持面が形成されるとともに、前記チャック歯の他の側面には、前記押さえプレートの側面と接触する接触面が形成されており、
前記接触面は、上下方向から視ると第一曲率半径を有する凸面であり、
前記押さえプレートの側面は、上下方向から視ると第一曲率半径より大きい第二曲率半径を有する凹面であることを特徴とする請求項１又は請求項２に記載の把持具。
【請求項４】
前記チャック歯の接触面の中央部には、磁石が埋め込まれており、
前記押さえプレートの側面の中央部には、前記チャック歯に埋め込まれた磁石と異なる極の磁石が埋め込まれていることを特徴とする請求項１〜請求項３のいずれかに記載の把持具。
【請求項５】
請求項１〜請求項４のいずれかに記載の二つの把持具と、
一の把持具が取り付けられる上側取付部と、
他の把持具が取り付けられる下側取付部と、
前記上側取付部又は下側取付部を上下方向に移動させる駆動機構とを備えることを特徴とする疲労試験機。
【考案の詳細な説明】
【技術分野】
【０００１】
本考案は、製品開発や品質管理を目的として様々な材料の疲労強度特性を評価するために用いられる試験片をつかむための把持具及びそれを用いた疲労試験機に関する。
【背景技術】
【０００２】
世界中で多種多様な材料が開発され人類の益に供されている。最近、特に環境問題による材料の吟味や、電子機器・輸送機器等の信頼性や安全性の向上のために、高性能で信頼性の高い材料や製品の研究開発が行われてきている。そのため、これらの材料や製品の強度特性を評価する試験方法が、JIS、ISO、ASTM等で数多く規格化されている。具体的には、ゴム、プラスチック、金属、繊維等の素材から、食品、電子部品、携帯電話、梱包箱等の実物まで、あらゆる物が上述した試験方法の対象となっている。そして、このような試験方法において、静的な試験としては引張試験、圧縮試験、曲げ試験、引き裂き試験、せん断試験等があり、また、動的な試験としては疲労試験、衝撃試験等がある。
【０００３】
それらの中でも特に材料の引張強度を評価する引張試験は、材料の特性を知る基本データとして重要な試験項目であり、さらに、それに繰返し引張力を付与し材料の耐久性を評価する疲労試験も重要な試験項目のひとつである。引張試験や疲労試験では、評価する材料で作製された試験片を用いることになるが、引張力を負荷するために試験片を把持する把持具を引張試験機（疲労試験機）は装備している（例えば、特許文献１参照）。
【０００４】
ここで、従来の疲労試験機について説明する。図９は、疲労試験機の断面図である。また、図６は、疲労試験機に用いられる把持具を組み立てた斜視図であり、図７は、図６に示す把持具の平面図であり、図８は、図６に示す把持具を分解した斜視図である。なお、図８中では試験片とボルトとを省略している。
疲労試験機３００は、２個の把持具（上側把持具１０１Ｕ、下側把持具１０１Ｄ）と、上側取付部３０２と、下側取付部３０１と、上側取付部３０２が下端部に取り付けられ上側取付部３０２を上下方向に移動させるアクチュエータ３０３とを備える。
上側取付部３０２は、上側把持具１０１Ｕが取り付けられるようになっている。一方、下側取付部３０１は、上側取付部３０２の下方に配置され、下側把持具１０１Ｄが取り付けられるようになっている。
【０００５】
試験片Ｓの材料としては、多種多様な材料が挙げられるが、ゴム、プラスチック、金属、複合材料（繊維強化樹脂）等となる。
そして、試験片Ｓの形状として、JIS、ISO、ASTM等によって多種多様な形状が挙げられるが、例えば材料が繊維強化樹脂である場合には、厚さ（Ｘ方向）３ｍｍ、長さ（Ｚ方向）８０ｍｍの平板形状をしている。また、試験片Ｓは前後方向（Ｙ方向）において、下端部（把持部）の長さＬ１は３０ｍｍとなっており、中央部の長さＬ２は２０ｍｍとなっており、上端部（把持部）の長さＬ１は３０ｍｍとなっている。
【０００６】
上側把持具１０１Ｕと下側把持具１０１Ｄとは同様な構造をしており、上側把持具１０１Ｕは下側把持具１０１Ｄを逆さにして用いればよいので、下側把持具１０１Ｄのみについて説明することする。
下側把持具１０１Ｄは、左下側把持プレート１２０Ｌと右下側把持プレート１２０Ｒと下側本体ベース１１０と８本のボルト４１、４２とを備える。
【０００７】
下側本体ベース１１０は、疲労試験機３００の下側取付部３０１と取り付け取り外しが可能となっている。
下側本体ベース１１０の上面には、左右方向（Ｘ方向）に伸びた略直方体形状の凸部１１１が形成されている。
下側本体ベース１１０を上下方向から視ると、下側本体ベース１１０の四隅には、Ｘ方向に長い長穴１１２が形成されている。長穴１１２は上下方向に貫通している。なお、左側の２個の長穴１１２は、左下側把持プレート１２０Ｌをボルト４２を用いて固定するために使用され、右側の２個の長穴１１２は、右下側把持プレート１２０Ｒをボルト４２を用いて固定するために使用される。
【０００８】
左下側把持プレート１２０Ｌは、略直方体形状をしている上部と、上部よりＹ方向に大きい略直方体形状をしている下部とを有する。
左下側把持プレート１２０Ｌの下面には、左右方向（Ｘ方向）に伸びた凹部１２１Ｌが形成されている。これにより、凹部１２１Ｌを凸部１１１に当接するように載せると、左下側把持プレート１２０Ｌは、左右方向（Ｘ方向）のみに移動可能となる。
左下側把持プレート１２０Ｌの右側面には、ヤスリ目形状の把持面１２２Ｌが形成されている。把持面１２２Ｌは、例えば上下方向（Ｚ方向）４０ｍｍ、前後方向（Ｙ方向）３０ｍｍとなっている。つまり、把持面１２２Ｌの前後方向の長さＬ１は、試験片Ｓの下端部の前後方向の長さＬ１と同じになっている。
【０００９】
左下側把持プレート１２０Ｌを上下方向から視ると、左下側把持プレート１２０Ｌの下部の前後方向における両端には、円形の貫通孔１２４Ｌが形成されている。貫通孔１２４Ｌは、上下方向に貫通している。これにより、貫通孔１２４Ｌと貫通孔１１２とにボルト４２を差し込んで、左下側把持プレート１２０Ｌと下側本体ベース１１０とを固定することができるようになっている。
また、左下側把持プレート１２０Ｌを左右方向から視ると、把持面１２２Ｌの四隅近傍部には円形の貫通孔１２５Ｌが形成されている。貫通孔１２５Ｌは左右方向に貫通している。なお、４個の貫通孔１２５Ｌは、右下側把持プレート１２０Ｒとボルト４１を用いて固定するために使用される。
【００１０】
右下側把持プレート１２０Ｒは、略直方体形状をしている上部と、上部よりＹ方向に大きい略直方体形状をしている下部とを有する。
右下側把持プレート１２０Ｒの下面には、左右方向に伸びた凹部１２１Ｒが形成されている。これにより、凹部１２１Ｒを凸部１１１に当接するように載せると、右下側把持プレート１２０Ｒは、左右方向のみに移動可能となる。
右下側把持プレート１２０Ｒの左側面には、ヤスリ目形状の把持面１２２Ｒが形成されている。把持面１２２Ｒは、例えば上下方向（Ｚ方向）４０ｍｍ、前後方向（Ｙ方向）３０ｍｍとなっている。
【００１１】
右下側把持プレート１２０Ｒを上下方向から視ると、右下側把持プレート１２０Ｒの下部に前後方向における両端には、円形の貫通孔１２４Ｒが形成されている。貫通孔１２４Ｒは上下方向に貫通している。これにより、貫通孔１２４Ｒと貫通孔１１２とにボルト４２を差し込んで、右下側把持プレート１２０Ｒと下側本体ベース１１０とを固定することができるようになっている。
右下側把持プレート１２０Ｒを左右方向から視ると、把持面１２２Ｒの四隅近傍部にはネジ穴１２５Ｒが形成されている。ネジ穴１２５Ｒは左右方向に貫通している。なお、４個のネジ穴１２５Ｒは、左下側把持プレート１２０Ｌとボルト４１を用いて固定するために使用される。
【００１２】
ここで、下側把持具１０１Ｄで試験片Ｓの下端部を把持する方法について説明する。
まず、左下側把持プレート１２０Ｌの凹部１２１Ｌを、下側本体ベース１１０の凸部１１１の左端部に当接するように載せるとともに、右下側把持プレート１２０Ｒの凹部１２１Ｒを、下側本体ベース１１０の凸部１１１の右端部に当接するように載せる。
次に、試験片Ｓの下端部を、左下側把持プレート１２０Ｌの把持面１２２Ｌと右下側把持プレート１２０Ｒの把持面１２２Ｒとの間に配置する。このとき、把持面１２２Ｌ、１２２Ｒの前後方向の位置に、試験片Ｓの下端部の前後方向の位置とを一致させるように配置する。
【００１３】
次に、貫通孔１２５Ｌにボルト４１を差し込んでネジ穴１２５Ｒにねじ込み、右下側把持プレート１２０Ｒと左下側把持プレート１２０Ｌとを固定することにより、試験片Ｓの下端部をしっかり把持する。
最後に、貫通孔１２４Ｌと貫通孔１１２とにボルト４２を差し込んで、左下側把持プレート１２０Ｌと下側本体ベース１１０とを固定するとともに、貫通孔１２４Ｒと貫通孔１１２とにボルト４２を差し込んで、右下側把持プレート１２０Ｒと下側本体ベース１１０とを固定する。
【先行技術文献】
【特許文献】
【００１４】
【特許文献１】特開２００９−３６７８５号公報
【考案の概要】
【考案が解決しようとする課題】
【００１５】
しかしながら、上述したような把持具１０１Ｕ、１０１Ｄを用いた疲労試験機３００で、繊維強化樹脂製の試験片Ｓの材料の疲労強度特性を評価しようとしたときには、試験片Ｓの把持部に近いフィレット部で破断し、試験片Ｓの中央部（Ｌ２部分）で破断しなかった。
【課題を解決するための手段】
【００１６】
本件考案者は、上記課題を解決するために、試験片Ｓの中央部（Ｌ２部分）でうまく破断させることについて検討を行った。そこで、把持具において、試験片Ｓの把持部全体をつかむのではなく、把持部の周囲を逃がすことが効果的であることが分かった。その結果、チャック切れなく、試験片Ｓの中央部（Ｌ２部分）でうまく破断させることができることを見出した。
【００１７】
すなわち、本考案の把持具は、平板形状の試験片の一端部の把持部を把持する把持具であって、左側把持プレートと右側把持プレートと本体ベースとを備え、前記本体ベースの上面には、左右方向に伸びたガイド部が形成され、前記左側把持プレートの下面には、前記本体ベースのガイド部と当接するガイド部が形成されるとともに、前記左側把持プレートの右側面には、前記試験片の一端部の把持部の左側面と接触する把持面が形成されており、前記右側把持プレートの下面には、前記本体ベースのガイド部と当接するガイド部が形成されるとともに、前記右側把持プレートの左側面には、前記試験片の一端部の把持部の右側面と接触する把持面が形成されており、前記把持面は、前記上下方向と、前記上下方向及び左右方向とに垂直な前後方向とにおいて、前記試験片の一端部の把持部の周縁部とは接触せずに、前記試験片の一端部の把持部の中心部とは接触するようにしている。
ここで、「試験片の一端部の把持部の周縁部とは接触せずに」とは試験片を把持するための全ての力はかからないという意味を含むものであって、全く接触していない（つまり、両者の間に空間がある）というだけの意味ではない。
【考案の効果】
【００１８】
以上のように、本考案の把持具によれば、試験片の把持部全体をつかむのではなく、把持部の周囲を逃がすので、試験片の中央部でうまく破断することができる。
【００１９】
（その他の課題を解決するための手段及び効果）
また、本考案の把持具は、前記試験片の一端部の把持部の周縁部は、テーパー構造の把持面により逃がされることにより、前記把持面は、前記試験片の一端部の把持部の周縁部とは接触せずに、前記試験片の一端部の把持部の中心部とは接触するようにしてもよい。
本考案の把持具によれば、試験片の一端部の把持部の周縁部は、テーパー構造の把持面により逃がされるので、試験片の中央部（Ｌ２部分）でうまく破断することができる。
【００２０】
また、本考案の把持具は、前記把持プレートは、押さえプレートとチャック歯とに分離可能となっており、前記チャック歯の一の側面には、前記把持面が形成されるとともに、前記チャック歯の他の側面には、前記押さえプレートの側面と接触する接触面が形成されており、前記接触面は、上下方向から視ると第一曲率半径を有する凸面であり、前記押さえプレートの側面は、上下方向から視ると第一曲率半径より大きい第二曲率半径を有する凹面であるようにしてもよい。
本考案の把持具によれば、押さえプレートの側面は第二曲率半径を有する凹面であり、チャック歯の接触面は第一曲率半径を有する凸面であるので、チャック歯の両端部が左右方向にたわむことができ、その結果、試験片の把持部の周辺部分に力が作用しない。
【００２１】
また、本考案の把持具は、前記チャック歯の接触面の中央部には、磁石が埋め込まれており、前記押さえプレートの側面の中央部には、前記チャック歯に埋め込まれた磁石と異なる極の磁石が埋め込まれているようにしてもよい。
本考案の把持具によれば、把持プレートは、押さえプレートとチャック歯とに分離可能となっているが、磁石によって押さえプレートの位置とチャック歯の位置とを位置合わせし易くなる。
【００２２】
そして、本考案の疲労試験機は、上述したような二つの把持具と、一の把持具が取り付けられる上側取付部と、他の把持具が取り付けられる下側取付部と、前記上側取付部又は下側取付部を上下方向に移動させる駆動機構とを備えるようにしてもよい。
【図面の簡単な説明】
【００２３】
【図１】本考案に係る把持具を組み立てた斜視図である。
【図２】図１に示す把持具の平面図である。
【図３】図１に示す把持具を分解した斜視図である。
【図４】本考案に係る把持具の平面図である。
【図５】図４に示す把持具を分解した斜視図である。
【図６】疲労試験機に用いられる把持具を組み立てた斜視図である。
【図７】図６に示す把持具の平面図である。
【図８】図６に示す把持具を分解した斜視図である。
【図９】従来の疲労試験機の断面図である。
【図１０】本考案の第一実施形態における疲労試験機の断面図である。
【考案を実施するための形態】
【００２４】
以下、本考案の実施形態について図面を用いて説明する。なお、本考案は、以下に説明するような実施形態に限定されるものではなく、本考案の趣旨を逸脱しない範囲で種々の態様が含まれる。
【００２５】
＜第一の実施形態＞
図１０は、本考案に係る疲労試験機の概略断面図である。また、図１は、本考案に係る把持具を組み立てた斜視図であり、図２は、図１に示す把持具の平面図であり、図３は、図１に示す把持具を分解した斜視図である。なお、上述した把持具１０１と同様のものについては、同じ符号を付している。また、図３中では試験片とボルトとを省略している。
疲労試験機２５０は、２個の把持具（上側把持具１Ｕ、下側把持具１Ｄ）と、上側取付部２５２と、下側取付部２５１と、上側取付部２５２が下端部に取り付けられ上側取付部２５２を上下方向に移動させるアクチュエータ２５３とを備える。
上側取付部２５２は、上側把持具１Ｕが取り付けられるようになっている。一方、下側取付部２５１は、上側取付部２５２の下方に配置され、下側把持具１Ｄが取り付けられるようになっている。
【００２６】
上側把持具１Ｕと下側把持具１Ｄとは同様な構造をしているので、下側把持具１Ｄのみについて説明することとする。
下側把持具１Ｄは、左下側把持プレート５０Ｌと右下側把持プレート５０Ｒと下側本体ベース１０と６本のボルト４１、４２とを備える。
【００２７】
下側本体ベース１０は、疲労試験機２５０の下側取付部２５１と取り付け取り外しが可能となっている。
下側本体ベース１０の上面には、左右方向（Ｘ方向）に伸びた凹部（雌ガイド部）１１が形成されている。
下側本体ベース１０を上下方向から視ると、下側本体ベース１０の四隅には、Ｘ方向に長い長穴１２が形成されている。長穴１２は上下方向に貫通している。なお、左側の２個の貫通孔１２は、左下側把持プレート２０Ｌをボルト４２を用いて固定するために使用され、右側の２個の貫通孔１２は、右下側把持プレート２０Ｒをボルト４２を用いて固定するために使用される。
【００２８】
左下側把持プレート５０Ｌは、左下側押さえプレート２０Ｌと、チャック歯３０Ｌとを備える。
チャック歯３０Ｌの右側面には、ヤスリ目形状の把持面３１Ｌが形成されている。把持面３１Ｌは、上下方向２０ｍｍ、前後方向３０ｍｍである。つまり、把持面３１Ｌの前後方向の長さＬ１は、試験片Ｓの下端部の前後方向の長さＬ１と同じになっている。
【００２９】
チャック歯３１Ｌの左側面には、左下側押さえプレート２０Ｌの右側面２２Ｌと接触する接触面３２Ｌが形成されている。接触面３２Ｌは、上下方向から視ると第一曲率半径Ｒ１（例えば、４０ｍｍ）を有する凸面である。
さらに、接触面３２Ｌの中央部には、磁石３３Ｌが埋め込まれている。なお、磁石３３Ｌは、左下側押さえプレート２０Ｌの中央にチャック歯３０Ｌを位置合わせし易くするために使用される。
そして、チャック歯３１Ｌの左側面の下部には、左下側押さえプレート２０Ｌの下部と当接される突出部３４Ｌが形成されている。
上記チャック歯の材質としては、金属等が挙げられる。
【００３０】
左下側押さえプレート２０Ｌの下面には、左右方向に伸びた略直方体形状の凸部（雄ガイド部）２１Ｌが形成されている。これにより、凸部２１Ｌを凹部１１に当接するように載せると、左下側押さえプレート２０Ｌは、左右方向（Ｘ方向）のみに移動可能となる。
左下側押さえプレート２０Ｌの右側面２２Ｌは、上下方向から視ると第二曲率半径Ｒ２（例えば、４７ｍｍ）を有する凹面である。第二曲率半径Ｒ２は、第一曲率半径Ｒ１より大きくなっている。これにより、第二曲率半径Ｒ２を有する凹面で第一曲率半径Ｒ１を有する凸面を押圧すると、第一曲率半径Ｒ１を有する凸面の両端部が、押圧方向にたわむことになる。
さらに、左下側押さえプレート２０Ｌの右側面２２Ｌの中央部には、チャック歯３０Ｌに埋め込まれた磁石３３Ｌと異なる極の磁石２３Ｌが埋め込まれている。磁石３３Ｌと磁石２３Ｌとが引き合うことによってチャック歯３０Ｌが左下側押さえプレート２０Ｌの中央部に位置合わせされる。
【００３１】
左下側押さえプレート２０Ｌを上下方向から視ると、左下側押さえプレート２０Ｌの前後方向における両端には、円形の貫通孔２４Ｌが形成されている。貫通孔２４Ｌは上下方向に貫通している。これにより、貫通孔２４Ｌと貫通孔１２とにボルト４２を差し込んで、左下側押さえプレート２０Ｌと下側本体ベース１０とを固定することができるようになっている。
左下側押さえプレート２０Ｌを左右方向から視ると、両端部には円形の貫通孔２５Ｌが形成されている。貫通孔２５Ｌは左右方向に貫通している。なお、２個の貫通孔２５Ｌは、右下側押さえプレート２０Ｒとボルト４１を用いて固定するために使用される。
【００３２】
右下側把持プレート５０Ｒは、右下側押さえプレート２０Ｒと、チャック歯３０Ｒとを備える。
チャック歯３０Ｒの右側面には、ヤスリ面形状の把持面３１Ｒが形成されている。把持面３１Ｒは、上下方向２０ｍｍ、前後方向３０ｍｍである。
【００３３】
チャック歯３１Ｒの右側面には、右下側押さえプレート２０Ｒの左側面２２Ｒと接触する接触面３２Ｒが形成されている。接触面３２Ｒは、上下方向から視ると第一曲率半径Ｒ１を有する凸面である。
さらに、接触面３２Ｒの中央部には、磁石３３Ｒが埋め込まれている。なお、磁石３３Ｒは、右下側押さえプレート２０Ｒの中央にチャック歯３０Ｒを位置合わせし易くするために使用される。
そして、チャック歯３１Ｒの右側面の下部には、右下側押さえプレート２０Ｒの下部と当接される突出部３４Ｒが形成されている。
【００３４】
右下側押さえプレート２０Ｒの下面には、左右方向に伸びた略直方体形状の凸部（雄ガイド部）２１Ｒが形成されている。これにより、凸部２１Ｒを凹部１１に当接するように載せると、右下側押さえプレート２０Ｒは、左右方向のみに移動可能となる。
右下側押さえプレート２０Ｒの左側面２２Ｒは、上下方向から視ると第二曲率半径Ｒ２を有する凹面である。
さらに、右下側押さえプレート２０Ｒの右側面２２Ｒの中央部には、チャック歯３０Ｒに埋め込まれた磁石３３Ｒと異なる極の磁石２３Ｒが埋め込まれている。磁石３３Ｒと磁石２３Ｒとが引き合うことによってチャック歯３０Ｒが右下側押さえプレート２０Ｒの中央部に位置合わせされる。
【００３５】
右下側押さえプレート２０Ｒを上下方向から視ると、右下側押さえプレート２０Ｒの前後方向における両端には、円形の貫通孔２４Ｒが形成されている。貫通孔２４Ｒは上下方向に貫通している。これにより、貫通孔２４Ｒと貫通孔１２とにボルト４２を差し込んで、右下側押さえプレート２０Ｒと下側本体ベース１０とを固定することができるようになっている。
右下側押さえプレート２０Ｒを左右方向から視ると、両端部にはネジ穴２５Ｒが形成されている。ネジ穴２５Ｒは左右方向に貫通している。なお、２個のネジ穴２５Ｒは、左下側押さえプレート２０Ｌとボルト４１を用いて固定するために使用される。
【００３６】
ここで、下側把持具１Ｄで試験片Ｓの下端部を把持する方法について説明する。
まず、左下側把持プレート２０Ｌの右側面２２Ｌと、チャック歯３０Ｌの接触面３２Ｌとを当接するように配置する。このとき、右側面２２Ｌの磁石２３Ｌと接触面３２Ｌの磁石３３Ｌとによって位置を合わせる。次に、右下側把持プレート２０Ｒの左側面２２Ｒと、チャック歯３０Ｒの接触面３２Ｒとを当接するように配置する。このとき、左側面２２Ｒの磁石２３Ｒと接触面３２Ｒの磁石３３Ｒとによって位置を合わせる。
【００３７】
次に、左下側把持プレート２０Ｌの凸部２１Ｌを、左下側本体ベース１０の凹部１１の左端部に当接するように載せるとともに、右下側把持プレート２０Ｒの凸部２１Ｒを、左下側本体ベース１０の凹部１１の右端部に当接するように載せる。
次に、試験片Ｓの下端部を、チャック歯３０Ｌの把持面３１Ｌとチャック歯３０Ｒの把持面３１Ｒとの間に配置する。このとき、把持面３１Ｌ、３１Ｒの前後方向の幅Ｌ１で示された部分と、試験片Ｓの下端部の前後方向の幅Ｌ１で示された部分の位置が一致するように配置する。
【００３８】
次に、貫通孔２５Ｌにボルト４１を差し込んでネジ穴２５Ｒにねじ込み、右下側把持プレート２０Ｒと左下側把持プレート２０Ｌとを固定することにより、試験片Ｓの下端部をしっかり把持する。このとき、左下側押さえプレート２０Ｌの右側面２２Ｌは、第二曲率半径Ｒ２を有する凹面であり、チャック歯３０Ｌの接触面３２Ｌは、第一曲率半径Ｒ１を有する凸面であるので、チャック歯３０Ｌの接触面３２Ｌは、左右方向（Ｘ方向）にたわむことになり、その結果、把持面３１Ｌは、大きさＬ１より小さく、かつ、試験片Ｓの中央部の幅Ｌ２より大きい大きさで試験片Ｓの下端部と接触することになる。また、右下側押さえプレート２０Ｒの左側面２２Ｒは、第二曲率半径Ｒ２を有する凹面であり、チャック歯３０Ｒの接触面３２Ｒは、第一曲率半径Ｒ１を有する凸面であるので、チャック歯３０Ｒの接触面３２Ｒは、左右方向（Ｘ方向）にたわむことになり、その結果、把持面３１Ｒは、大きさＬ１より小さく、かつ、大きさＬ２より大きい大きさで試験片Ｓの下端部と接触することになる。
最後に、貫通孔２４Ｌと貫通孔１２とにボルト４２を差し込んで、左下側把持プレート２０Ｌと下側本体ベース１０とを固定するとともに、貫通孔２４Ｒと貫通孔１２とにボルト４２を差し込んで、右下側把持プレート２０Ｒと下側本体ベース１０とを固定する。
【００３９】
以上のように、本考案の把持具１によれば、試験片Ｓの下端部（把持部）の周縁部は、テーパー構造により逃がされ、全ての把持力はかからないので、試験片Ｓの中央部（Ｌ２部分）でうまく破断することができる。
【００４０】
＜第二の実施形態＞
図４は、本考案に係る他の把持具の平面図であり、図５は、図４に示す把持具を分解した斜視図である。なお、上述した把持具１０１と同様のものについては、同じ符号を付している。また、図５中では試験片とボルトとを省略している。
上側把持具（図示せず）と下側把持具２０１Ｄとは同様な構造をしているので、下側把持具２０１Ｄのみについて説明することとする。
下側把持具２０１Ｄは、左下側把持プレート２２０Ｌと右下側把持プレート２２０Ｒと下側本体ベース１１０と８本のボルト４１、４２とを備える。
【００４１】
左下側把持プレート２２０Ｌは、略直方体形状をしている上部と、上部よりＹ方向に大きい略直方体形状をしている下部とを有する。
左下側把持プレート２２０Ｌの下面には、左右方向（Ｘ方向）に伸びた凹部１２１Ｌが形成されている。これにより、凹部１２１Ｌを凸部１１１に当接するように載せると、左下側把持プレート２２０Ｌは、左右方向（Ｘ方向）のみに移動可能となる。
左下側把持プレート２２０Ｌの右側面には、ヤスリ面形状の把持面２２２Ｌが形成されている。把持面２２２Ｌは、例えば上下方向（Ｚ方向）４０ｍｍ、前後方向（Ｙ方向）２５ｍｍである。つまり、把持面２２２Ｌの前後方向の長さＬ３は、長さＬ１より小さく、かつ、長さＬ２より大きくなっている。また、把持面２２２Ｌの上端部と下端部とは、テーパー構造となっており、試験片Ｓの下端部（把持部）の上下方向における周縁部は、テーパー構造により逃がされるようになっている。
【００４２】
左下側把持プレート２２０Ｌを上下方向から視ると、左下側把持プレート２２０Ｌの下部の前後方向における両端には、円形の貫通孔１２４Ｌが形成されている。
また、左下側把持プレート２２０Ｌを左右方向から視ると、把持面１２２Ｌの四隅近傍部には円形の貫通孔１２５Ｌが形成されている。
【００４３】
右下側把持プレート２２０Ｒは、略直方体形状をしている上部と、上部よりＹ方向に大きい略直方体形状をしている下部とを有する。
右下側把持プレート２２０Ｒの下面には、左右方向（Ｘ方向）に伸びた凹部１２１Ｒが形成されている。これにより、凹部１２１Ｒを凸部１１１に当接するように載せると、右下側把持プレート２２０Ｒは、左右方向（Ｘ方向）のみに移動可能となる。
右下側把持プレート２２０Ｒの左側面には、ヤスリ面形状の把持面２２２Ｒが形成されている。把持面２２２Ｒは、例えば上下方向（Ｚ方向）４０ｍｍ、前後方向（Ｙ方向）２５ｍｍである。つまり、把持面２２２Ｒの前後方向の長さＬ３は、長さＬ１より小さく、かつ、長さＬ２より大きくなっている。また、把持面２２２Ｒの上端部と下端部とは、テーパー構造となっており、試験片Ｓの下端部（把持部）の上下方向における周縁部は、テーパー構造により逃がされるようになっている。
【００４４】
右下側把持プレート２２０Ｒを上下方向から視ると、右下側把持プレート２２０Ｒの下部の前後方向における両端には、円形の貫通孔１２４Ｒが形成されている。
また、右下側把持プレート２２０Ｒを左右方向から視ると、把持面２２２Ｒの四隅近傍部にはネジ穴１２５Ｒが形成されている。
【００４５】
ここで、下側把持具２０１Ｄで試験片Ｓの下端部を把持する方法について説明する。
まず、左下側把持プレート２２０Ｌの凹部１２１Ｌを、下側本体ベース１１０の凸部１１１の左端部に当接するように載せるとともに、右下側把持プレート２２０Ｒの凹部１２１Ｒを、下側本体ベース１１０の凸部１１１の右端部に当接するように載せる。
次に、試験片Ｓの下端部を、左下側把持プレート２２０Ｌの把持面２２２Ｌと右下側把持プレート２２０Ｒの把持面２２２Ｒとの間に配置する。このとき、把持面２２２Ｌ、２２２Ｒの前後方向の中央と、試験片Ｓの下端部の前後方向の中央とが一致するように配置する。
【００４６】
次に、貫通孔１２５Ｌにボルト４１を差し込んでネジ穴１２５Ｒにねじ込み、右下側把持プレート２２０Ｒと左下側把持プレート２２０Ｌとを固定することにより、試験片Ｓの下端部をしっかり把持する。このとき、把持面２２２Ｌ、２２２Ｒは、試験片Ｓの下端部の前後方向の長さＬ１より小さく、かつ、長さＬ２より大きい長さＬ３で試験片Ｓの下端部と接触することになる。
最後に、貫通孔１２４Ｌと貫通孔１１２とにボルト４２を差し込んで、左下側把持プレート２２０Ｌと下側本体ベース１１０とを固定するとともに、貫通孔１２４Ｒと貫通孔１１２とにボルト４２を差し込んで、右下側把持プレート２２０Ｒと下側本体ベース１１０とを固定する。
【００４７】
以上のように、本考案の把持具２０１によれば、試験片Ｓの下端部の上下方向（Ｚ方向）における周縁部は、テーパー構造により逃がされるとともに、試験片Ｓの下端部の前後方向（Ｙ方向）における周縁部も逃がされるので、試験片Ｓの中央部（Ｌ２部分）でうまく破断することができる。
【００４８】
（他の実施形態）
上述した把持具１Ｕ、１Ｄでは、上側把持具１Ｕと下側把持具１Ｄとは同様な構造をしているような構成を示したが、押さえプレートとチャック歯との位置関係が見えにくいため、上側把持具のみに磁石が埋め込まれているような構成としてもよい。
【産業上の利用可能性】
【００４９】
本考案は、様々な材料の疲労強度特性を評価する疲労試験機に利用することができる。
【符号の説明】
【００５０】
１：把持具
１Ｄ：下側把持具
１０：下側本体ベース
１１：凸部（雌ガイド部）
２１Ｌ：凹部（雄ガイド部）
２１Ｒ：凹部（雄ガイド部）
３１Ｌ：把持面
３１Ｒ：把持面
５０Ｌ：左下側把持プレート
５０Ｒ：右下側把持プレート
【図２】
0003162812.tif 000003
【図３】
0003162812.tif 000004
【図４】
0003162812.tif 000005
【図５】
0003162812.tif 000006
【図７】
0003162812.tif 000007
【図８】
0003162812.tif 000008
【図９】
0003162812.tif 000009
【図１０】
0003162812.tif 000010
【図１】
0003162812.tif 000011
【図６】
0003162812.tif 000012